(57)【要約】      （修正有）【課題】簡単な構成により扉の施解錠を簡単且つ確実にできるようにした貯蔵庫を提供する。【解決手段】施錠装置１４は、両端部にフック２０を設けた回転軸１８と、この回転軸にフック受１９とフックとの係合を解除するための回転力を付与する解除バネ２４と、回転軸に取り付けられ、一側に段部２６を形成した作動板２５と、操作軸３２に回動自在に取り付けられ、一側に作動板の段部と係合し合う係止部３４を設けたラッチ３３と、ラッチに前記回転力とは逆向きの回転力を付与する操作バネ３６と、扉に進退自在に設けられ、端部４１をラッチの当接部３５に対向するよう臨ませた解除釦４０とを備える。扉の閉塞時にフック受にフックが係合し、回転軸と共に作動板が回動されて作動板の段部とラッチの係止部とがかみ合い、扉が施錠される。解除釦を操作してラッチの当接部を押圧し、ラッチを回動させて、ラッチの係止部を作動板の段部から外すことにより解錠する。【選択図】図５
2006299517.tif 000002
【特許請求の範囲】
【請求項１】
貯蔵庫本体と、
この貯蔵庫本体に設けられ、物品を出し入れするための開口部と、
この開口部に設けられ、開口部を閉塞あるいは開放するための扉と、
この扉に設けられ、扉の施錠を行なう施錠装置とを備えてなる貯蔵庫にあって、
前記施錠装置は、前記扉に取り付けられた取付板と、
この取付板に回動自在に取り付けられ、両端部に、前記開口部の近傍に取り付けられ
たフック受と対向位置し、このフック受と互いに係合し合うフックを設けた回転軸と、
この回転軸に、前記フック受と前記フックとの係合を解除するための回転力を、常に
付与するよう設けられた解除バネと、
前記回転軸に取り付けられ、一側に段部を形成すると共に、前記回転軸と同じ向きの
回転力を前記解除バネにより常に付与された作動板と、
前記取付板に、前記回転軸と平行して配置された操作軸と、
この操作軸に、前記作動板と対をなすように対向して回動自在に取り付けられ、操作
軸を境に、一側に前記作動板の段部と係合し合う係止部を設けると共に、他側に当接部を
設けたラッチと、
このラッチに、前記解除バネにより前記作動板に付与された回転方向と逆向きの回転
力を、常に付与するよう設けられた操作バネと、
前記扉に進退自在に設けられ、端部を前記ラッチの当接部に対向するよう臨ませた解
除釦とを備え、
前記扉の施錠は、前記扉を閉塞させることにより、前記フック受に前記フックを係合
させ、この係合時、前記フックが前記フック受と当接され前記回転軸が回動されることに
より、前記作動板が回動され、前記作動板の段部と前記ラッチの係止部とがかみ合い、前
記作動板の回動が抑止されることにより、前記フックと前記フック受との係合が保持され
ると共に、係合を解除しようとする前記回転軸の回転力を抑止し、前記扉の施錠が行なわ
れ、前記扉の解錠は、前記解除釦を操作し、前記ラッチの当接部を押圧し、前記ラッチを
回動させ、前記ラッチの係止部を前記作動板の段部から外すことにより、前記回転軸に付
与した前記フック受と前記フックとの係合を解除する回転力の抑止を解除し、施錠を解錠
するようにしたことを特徴とする貯蔵庫。
【請求項２】
作動板の段部は、複数の段部で形成するようにしたことを特徴とする請求項１記載の貯蔵庫。
【請求項３】
フックは、一側を開放した係合溝を設け、この係合溝とフック受とを係合するようにしたことを特徴とする請求項１記載の貯蔵庫。
【発明の詳細な説明】
【技術分野】
【０００１】
本発明は、保冷車、冷凍車等において、物品を収容するために設けられる貯蔵庫に関
するもので、詳しくは、貯蔵庫の扉からの収容物品の出し入れ操作を作業性よく効率的に
行なえ、しかも、扉の施錠および解錠（施錠を解除）を、簡単且つ確実にできるようにした
施錠装置を備えた貯蔵庫に関する。
【背景技術】
【０００２】
従来の保冷車等の貯蔵庫は、収容物品の出し入れのため開口部を設け、この開口部に
観音開きの扉を設けている。そして、この扉の施錠は、一方の扉に、扉の高さと略同じ長
さの軸を取り付け、この軸の両端に、開口部近傍に設けたフック受と互いに係合し合うフ
ックを設けている。そして、この軸の中間部に、ヒンジを介してレバーを設け、このレバ
ーで軸を回動させ、フック受とフックとを係合させた後、この軸が逆回転してフック受と
フックとの係合が外れないように、レバーを、他方の扉に設けたレバー固定金具に倒して
固定させることにより、一方の扉と同時に他方の扉の施錠を行なうように構成している。
【０００３】
しかし、このような貯蔵庫では、扉の閉塞あるいは開放をするためには、扉を押した
り引いたりする作業に加えて、フック受とフックとの係合を解除あるいは係合させるため
に、その都度レバーを回転する作業を必要とする。また扉の施錠あるいは解錠をするため
には、レバーを倒したり、起こしたりする作業を必要とするため、作業性が極めて悪いと
いう欠点があった。このため貯蔵庫の扉からの収容物品の出し入れ操作を、作業性よく効
率的に行なうことができないという欠点があった。
【発明の開示】
【発明が解決しようとする課題】
【０００４】
本発明は、前記した問題点を解決するためになされたもので、簡単な構成により、貯
蔵庫の扉からの収容物品の出し入れ操作を、作業性よく、効率的に行なうことができると
共に、扉の施錠および解錠を簡単且つ確実にできるようにした貯蔵庫を提供することを目
的とする。
【課題を解決するための手段】
【０００５】
前記した問題を解決するための本発明の手段は、貯蔵庫本体と、この貯蔵庫本体に設
けられ、物品を出し入れするための開口部と、この開口部に設けられ、開口部を閉塞ある
いは開放するための扉と、この扉に設けられ、扉の施錠を行なう施錠装置とを備えてなる
貯蔵庫にあって、前記施錠装置は、前記扉に取り付けられた取付板と、この取付板に回動
自在に取り付けられ、両端部に、前記開口部の近傍に取り付けられたフック受と対向位置
し、このフック受と互いに係合し合うフックを設けた回転軸と、この回転軸に、前記フッ
ク受と前記フックとの係合を解除するための回転力を、常に付与するよう設けられた解除
バネと、前記回転軸に取り付けられ、一側に段部を形成すると共に、前記回転軸と同じ向
きの回転力を前記解除バネにより常に付与された作動板と、前記取付板に、前記回転軸と
平行して配置された操作軸と、この操作軸に、前記作動板と対をなすように対向して回動
自在に取り付けられ、操作軸を境に、一側に前記作動板の段部と係合し合う係止部を設け
ると共に、他側に当接部を設けたラッチと、このラッチに、前記解除バネにより前記作動
板に付与された回転方向と逆向きの回転力を、常に付与するよう設けられた操作バネと、
前記扉に進退自在に設けられ、端部を前記ラッチの当接部に対向するよう臨ませた解除釦
とを備え、前記扉の施錠は、前記扉を閉塞させることにより、前記フック受に前記フック
を係合させ、この係合時、前記フックが前記フック受と当接され前記回転軸が回動される
ことにより、前記作動板が回動され、前記作動板の段部と前記ラッチの係止部とがかみ合
い、前記作動板の回動が抑止されることにより、前記フックと前記フック受との係合が保
持されると共に、係合を解除しようとする前記回転軸の回転力を抑止し、前記扉の施錠が
行なわれ、前記扉の解錠は、前記解除釦を操作し、前記ラッチの当接部を押圧し、前記ラ
ッチを回動させ、前記ラッチの係止部を前記作動板の段部から外すことにより、前記回転
軸に付与した前記フック受と前記フックとの係合を解除する回転力の抑止を解除し、施錠
を解錠するようにしたものである。
【０００６】
また、請求項２記載の貯蔵庫は、請求項１記載の貯蔵庫において、作動板の段部は、
複数の段部で形成するようにしたものである。
【０００７】
さらに、請求項３記載の貯蔵庫は、請求項１記載の貯蔵庫において、フックは、一側
を開放した係合溝を設け、この係合溝とフック受とを係合するようにしたものである。
【発明の効果】
【０００８】
請求項１記載の貯蔵庫によれば、フックを設けた回転軸と、この回転軸に、施錠を解
除するための回転力を付与するよう設けられた解除バネと、回転軸に取り付けられ、段部
を形成する作動板と、操作軸に、作動板と対向して回動自在に取り付けられたラッチと、
このラッチに回転力を付与する操作バネと、扉に設けられた解除釦とを設けて施錠装置を
備えた貯蔵庫を構成し、扉の施錠は、扉を閉塞させることにより、フック受にフックを係
合させると共に、作動板の段部とラッチの係止部とをかみ合わせ、作動板の回動を抑止さ
せ、フックとフック受との係合を保持させると共に、この係合を解除しようとする回転軸
の回転力を抑止し施錠を行ない、扉の解錠は、解除釦を押圧し、ラッチを作動板の段部か
ら外すことにより、回転軸に付与したフック受とフックとの係合を解除する回転力の抑止
を解除し、施錠を解錠するようにしたため、扉を閉塞させるには扉の把手あるいは適宜の
箇所を押すだけで閉塞でき、また施錠は、扉の閉塞操作をすると同時に自動的に施錠する
ことができる。さらに扉を解錠させるには、解除釦を押すだけで解錠でき、また扉の解放
は、解錠した後、把手あるいは適宜の箇所を引くだけで解放できる。つまり扉の閉塞、施
錠および解錠、解放がワンタッチの操作で行なえる。このため貯蔵庫の扉からの収容物品
の出し入れ操作を、作業性よく効率的に行なえる。さらに扉の施錠、解錠は、解除バネ、
操作バネのバネの作用力を利用しているため、施錠、解錠時に生じる振動、衝撃や、施錠
装置への外部からの振動、衝撃をバネ部分で吸収、緩和でき、施錠装置の耐久性をも向上
できる。
【０００９】
また請求項２記載の貯蔵庫によれば、作動板の段部は、複数の段部で形成するように
したため、扉の閉塞過程で、作動板とラッチの複数回の係合段階を経て施錠されるため、
施錠操作による操作力、振動、衝撃等が分散、緩和され操作が円滑になると共に、誤動作
を防げ確実な施錠操作ができる。
【００１０】
また請求項３記載の貯蔵庫によれば、フックは、一側を開放した係合溝を設け、この
係合溝とフック受とを係合するようにしたため、振動、衝撃等に対しても係合状態をより
確実に保持できる。
【実施例】
【００１１】
以下、本発明の貯蔵庫を、保冷車に適用した場合の一実施例について図面に従って説
明する。
１は保冷車で、この保冷車１は、車２と、この車２に設置した貯蔵庫本体３とから概略的に構成されている。４は、この貯蔵庫本体３に設けられ、物品を出し入れするための開口部である。
この貯蔵庫３は全体として箱状に形成され、内箱５と、外箱６と、この両箱間に充填された断熱材７とを備えている。８、８は開口部４に設けられ、開口部４を閉塞あるいは開放するための、観音開きの扉である。この扉８、８は保冷車１の背面に位置するように設けられている。そして、扉８、８は把手９の操作により、ヒンジ１０を介して開閉自在
に構成している。また、扉８は内板１１、外板１２および側部を形成する枠１３とを有し、内部に断熱材７を充填してある。そして、保冷車１は、貯蔵庫３の内部に生鮮食料品、冷凍食品などを収容し、この貯蔵庫３により庫内を低温状態に保冷することにより、これら物品の輸送を行なうようにしている。
【００１２】
また、１４、１４は、貯蔵庫３の各扉８、８にそれぞれ設けられ、扉８、８の施錠を、扉毎にそれぞれ独立して施錠を行なう施錠装置である。１５は、この施錠装置１４の取付板で、この取付板１５は、取付片１６と、この取付片１６に溶接等の手段で取り付けた断面コ字状の支持片１７とからなり、取付片１６を介して扉８に取り付けられている。１８は、この取付板１５に回動自在に取り付けられ、両端部に、開口部４の近傍に取り付けられたフック受１９と対向位置し、このフック受１９と互いに係合し合うフック２０を溶接等の手段で固定し設けた回転軸である。フック２０は、一側を開放した係合溝２１を設け、係合溝２１とフック受１９とを係合するようにしてある。係合溝２１の両側には、第１の保持部２２、第２の保持部２３を形成している。フック受１９は、全体としてコ字形に形成され、係合溝２１と円滑に係合できるよう、断面を円形状に形成している。２４は、この回転軸１８に、フック受１９とフック２０との係合を解除するための回転力を、常に付与するよう設けられた解除バネである。また２５は、回転軸１８に溶接等の手段で固定し取り付けられ、一側に段部２６を形成する作動板である。この段部２６は、第１の段部２７と第２の段部２８とから形成する。そして前記解除バネ２４は、ねじりコイルバネで形成させてあり、コイル部分２９を回転軸１８に挿入すると共に、コイル部分２９の一端３０を取付板１５に当接させ他端３１を作動板２５の支持部４３に引掛けて取り付けられ、作動板２５に、フック受１９とフック２０との係合を解除するための回転力を常に付与するようにしている。つまり回転軸１８への、フック受１９とフック２０との係合を解除するための回転力は、解除バネ２４により作動板２５を介して付与されている。
【００１３】
また、３２は取付板１５に、回転軸１８と平行して配置された操作軸である。３３は、この操作軸３２に、作動板２５と対をなすように対向して回動自在に取り付けられ、操作軸３２を境に、一側に作動板２５の段部２６と係合し合う係止部３４を設けると共に、他側に当接部３５を設けたラッチ（掛けがね、又は、ストッパー）である。３６は、このラッチ３３に、解除バネ２４により作動板２５に付与された回転方向と逆向きの回転力を、常に付与するよう設けられた操作バネである。この操作バネ３６は、ねじりコイルバネで形成させてあり、コイル部分３７を操作軸３２に挿入すると共に、コイル部分３７の一端３８を取付板１５に当接させ、他端３９をラッチ３３の当接部３５近傍に引掛けて取り付けてある。また、４０は、扉８に進退自在に設けられ、端部４１をラッチ３３の当接部３５に対向するよう臨ませた解除釦である。解除釦４０は操作を容易にするため、把手９部分に設けてある。この解除釦４０は図示しないバネにより、常に把手９側に押圧保持され、バネに抗して押圧した後、押圧をやめれば、元の位置に復帰するようにしてある。なお、扉８が大きく、回転軸１８が長くなる場合は、図２、図３に示すように、フック２０、２０の近傍の回転軸１８部を回動自在に支持する、支持板４２、４２を扉８に設けるようにすれば、施錠装置１４の操作がより円滑となる。
【００１４】
次いで、以上のように構成する貯蔵庫の動作について説明する。図１、図３、図４は
保冷車１の貯蔵庫３内に物品を収容し、貯蔵庫３の開口部４を扉８、８で閉塞した状態を
示す。図２は扉８、８を開放した状態を示し、鎖線矢印の向きに扉８を閉めることにより
、閉塞状態となる。
【００１５】
図６（ａ）は，施錠装置１４のフック２０とフック受１９との係合状態を示し、図６
（ｂ）は，この状態に対応する作動板２５とラッチ３３と解除釦４０の動作状態を示し、
相互に関連した状態を示す対応動作状態図である。以下の図７乃至図１４も、この図６と
同様の対応動作状態図を示す。そして、この扉８の閉塞、施錠および解錠、開放の、それ
ぞれの状態を、これらの図により順を追って説明する。
左右の扉８、８とも同様の動作をするため、図２において右側に位置する一方の扉８について説明する。まず図６は扉８を閉塞させ、施錠装置１４で施錠した状態を示す。つまりフック受１９にフック２０の係合溝２１が係合されると共に、作動板２５の第２の段部２８とラッチ３３の係止部３４とが、かみ合い状態にある。そして、作動板２５とラッチ３３とが、それぞれ解除バネ２４、操作バネ３６により、互いに逆方向の回転力を付与されているため、この互いのかみ合いはロック状態にあり、作動板２５は、ラッチ３３により回動が抑止され、ロックされた状態にある。そのためフック２０とフック受１９との係合が保持されると共に、係合を解除しようとする回転軸１８の回動を抑止し、扉８の施錠が行なわれている状態にある。
【００１６】
次いで図７は、図６の閉塞、施錠された状態から扉を解錠する状態を示す。つまり解
除釦４０を操作し、端部４１を介してラッチ３３の当接部３５を押圧し、ラッチ３３を鎖
線矢印の向きに回動させ、ラッチ３３の係止部３４を、作動板２５の第１、第２の段部２
７、２８から外す。そして、ラッチ３３が外れた瞬間、図７、図８に示すように解除バネ
２４の作用力により、鎖線矢印の向きに回転軸１８が回動し、フック２０が回動され、回
動に伴ない、フック２０の第１の保持部２２がフック受１９に対して、回動しながら回転
力を作用させ、扉８の開放作用を促すことにより、フック２０とフック受１９との係合を
解除する。そして図９のように解除釦４０の押圧操作をやめることにより、作動板２５は
、鎖線矢印で示す解除バネ２４の回転力により支持部４３が取付板１５に当接され、ラッ
チ３３は鎖線矢印で示す操作バネ３６の回転力により、係止部３４を、第１の段部２７の
近傍に当接され、これらの当接状態を保持し、施錠装置１４は解錠状態を維持した状態と
なる。そして扉８は、幅広矢印の向きに扉８を引くことにより、扉８を開放できる。
【００１７】
次いで図１０は、図９の扉の解錠、開放状態から、扉を閉塞させる状態を示す。つま
り、把手９を介して扉８を幅広矢印の向きに押していく。この扉８の移動に伴ない、図１
１に示すようにフック２０の第１の保持部２２がフック受１９に当接されることにより、
鎖線矢印の向きにフック２０が回動すると共に、フック２０の係合溝２１とフック受１９
とが係合し始める。そしてフック２０の回動に伴ない、同時に回転軸１８と、この回転軸
１８に取り付けられた作動板２５が回動され始め、作動板２５とラッチ３３の当接する点
が、第１の段部２７の近くに移動してくる。そして、さらにフック２０の係合溝２１の内
部深くまで係合してくると、フック２０がさらに回動され、作動板２５が回動され、ラッ
チ３３の係止部３４が図１２に示すように第１の段部２７とかみ合っていく。そして、さ
らに扉８が押されフック２０の回動が進むと、図１３に示すように、作動板２５が回動さ
れ、係止部３４は第１の段部２７から第２の段部２８へ移動しようとする。そして扉８の
閉塞が完了した状態になると、図１４に示すように、フック２０の係合溝２１とフック受
１９とは確実に係合状態となり、フック２０の回動は停止される。これにより作動板２５
の回動は停止し、この時点で、ラッチ３３の係止部３４が作動板２５の第２の段部２８に
かみ合い状態となる。そして作動板２５とラッチ３３とが、それぞれ解除バネ２４、操作
バネ３６により、互いに逆方向の回転力を付与されているため、互いのかみ合いはロック
され、作動板２５はラッチ３３により回動が抑止されロックされる。これによりフック２
０とフック受１９との係合が保持されると共に、係合を解除しようとする回転軸１８の回
動を抑止し、扉８の施錠がなされる。つまり施錠装置１４は図６の状態と同じ状態となる
。なお回転軸１８に対するフック２０と作動板２５の取り付け位置関係は、前述したよう
な動作関係にあるよう予め設定され、互いにその設定位置に固定されているものである。
【００１８】
このように、この貯蔵庫３は簡単な構成により、貯蔵庫３の扉８からの収容物品の出
し入れ操作を、作業性よく効率的に行なえる。また扉８の施錠および解錠を、ワンタッチ
操作で簡単且つ確実に行なえる。またフック受１９は、フック２０の係合溝２１内に係合
保持されるため、振動、衝撃等に対しても外れたりすることなく、施錠を確実に行なえる
。また施錠装置１４の施錠、解錠、つまりフック受１９とフック２０との係合および作動
板２５とラッチ３３との係合動作は、解除バネ２４、操作バネ３６のバネの作用力により
付与しているため、各係合作用が円滑であると共に、施錠装置１４の各係合部分に振動、
衝撃を受けても、これらの振動、衝撃が各バネに伝導され、バネのもつ緩衝作用によりバ
ネに吸収されるため、各部の損傷を減少でき、施錠装置１４の耐久性をより向上できる。
これらは、貯蔵庫３を振動、衝撃の発生し易い保冷車１、冷凍車等に適用した場合は、そ
の効果がより顕著となる。
【００１９】
なお、作動板２５の段部２６は、実施例では第１の段部２７、第２の段部２８と２段
設けた場合を示したが、これは１段でも、あるいは３段等でもよく、段数を増す程、施錠
操作による操作力、振動、衝撃等が分散、緩和され、操作が円滑になると共に、誤動作を
防げ確実な施錠操作ができる。また解除バネ２４、操作バネ３６は、ねじりコイルバネを
使用し、作動板２５、ラッチ３３に直接、作用力をかけるようにしたが、これは板バネ、
圧縮バネ、引張バネ等を使用してもよく、また回転軸１８等、軸そのものに直接作用力を
かけるようにする等、他の形態をとってもよい。また、この貯蔵庫３は車載用と限定する
ものではなく、比較的、大形の冷蔵ショーケース等における貯蔵庫に適用するようにして
も勿論よい。
【図面の簡単な説明】
【００２０】
【図１】本発明の貯蔵庫の一実施例を示す概略的斜視図である。
【図２】図１の貯蔵庫の扉を開放した状態を示す要部の概略的斜視図である。
【図３】図１の貯蔵庫の概略的正面図である。
【図４】図３のＡ−Ａ線に沿って切断した概略的断面図である。
【図５】図４の矢印Ｂ方向から見た要部の概略的斜視図である。
【図６】扉が閉塞、施錠された状態を示すもので、（ａ）は、図３のＣーＣ線に沿って切断し、図の右の扉側のみを示す概略的断面図であり、（ｂ）は図６（ａ）の状態の時の図４の右の扉側の要部を取り出して示す概略的一部拡大断面図である。
【図７】扉を解錠する状態を示すもので、（ａ）は、扉を解錠する状態時の図３のＣーＣ線に沿って切断し、図の右の扉側のみを示す概略的断面図であり、（ｂ）は図７（ａ）の状態の時の図４の右の扉側の要部を取り出して示す概略的一部拡大断面図である。
【図８】扉を解錠した状態を示すもので、（ａ）は、扉を解錠した状態時の図３のＣーＣ線に沿って切断し、図の右の扉側のみを示す概略的断面図であり、（ｂ）は図８（ａ）の状態の時の図４の右の扉側の要部を取り出して示す概略的一部拡大断面図である。
【図９】扉を解放する状態を示すもので、（ａ）は、扉を解放する状態時の図３のＣーＣ線に沿って切断し、図の右の扉側のみを示す概略的断面図であり、（ｂ）は図９（ａ）の状態の時の図４の右の扉側の要部を取り出して示す概略的一部拡大断面図である。
【図１０】扉を閉じていく状態を示すもので、（ａ）は、扉を閉じていく状態時の図３のＣーＣ線に沿って切断し、図の右の扉側のみを示す概略的断面図であり、（ｂ）は図１０（ａ）の状態の時の図４の右の扉側の要部を取り出して示す概略的一部拡大断面図である。
【図１１】扉を図１０よりさらに閉じていく状態を示すもので、（ａ）は、扉を図１０よりさらに閉じていく状態時の図３のＣーＣ線に沿って切断し、図の右の扉側のみを示す概略的断面図であり、（ｂ）は図１１（ａ）の状態の時の図４の右の扉側の要部を取り出して示す概略的一部拡大断面図である。
【図１２】扉を図１１よりさらに閉じていく状態を示すもので、（ａ）は、扉を図１１よりさらに閉じていく状態時の図３のＣーＣ線に沿って切断し、図の右の扉側のみを示す概略的断面図であり、（ｂ）は図１２（ａ）の状態の時の図４の右の扉側の要部を取り出して示す概略的一部拡大断面図である。
【図１３】扉が閉塞、施錠される直前の状態を示すもので、（ａ）は、扉が閉塞、施錠される直前の状態時の図３のＣーＣ線に沿って切断し、図の右の扉側のみを示す概略的断面図であり、（ｂ）は図１３（ａ）の状態の時の図４の右の扉側の要部を取り出して示す概略的一部拡大断面図である。
【図１４】扉が閉塞、施錠された状態を示すもので、（ａ）は、扉が閉塞、施錠された状態時の図３のＣーＣ線に沿って切断し、図の右の扉側のみを示す概略的断面図であり、（ｂ）は図１４（ａ）の状態の時の図４の右の扉側の要部を取り出して示す概略的一部拡大断面図である。
【符号の説明】
【００２１】
３        貯蔵庫
４        開口部
８        扉
14        施錠装置
15        取付板
18        回転軸
19        フック受
20        フック
24        解除バネ
25        作動板
26        段部
32        操作軸
33        ラッチ
36        操作バネ
40        解除釦
【図１】
2006299517.tif 000003
【図２】
2006299517.tif 000004
【図３】
2006299517.tif 000005
【図４】
2006299517.tif 000006
【図５】
2006299517.tif 000007
【図６】
2006299517.tif 000008
【図７】
2006299517.tif 000009
【図８】
2006299517.tif 000010
【図９】
2006299517.tif 000011
【図１０】
2006299517.tif 000012
【図１１】
2006299517.tif 000013
【図１２】
2006299517.tif 000014
【図１３】
2006299517.tif 000015
【図１４】
2006299517.tif 000016